(57)【要約】      （修正有）【課題】作業者が装置に付きっ切りで操作をする必要がなく、爆発の危険性のない籾殻、オガクズなどの砕擂固化装置を提供する。【解決手段】装置内部に発生した水蒸気及びガス類を外部に排出するための排気口を被砕擂物の供給口に隣接して設けた籾殻などの細粒物の砕擂固化装置である。人が装置の運転に合わせて作業しなくても機械の運転だけで爆発が起きることがなく、従って装置の運転を止めることのない安全な連続運転が可能となり能率も向上する。【選択図】図１
0003159111.tif 000002
【実用新案登録請求の範囲】
【請求項１】
水分を含んだ細粒物を砕擂し次いで連続して砕擂物を固形化する砕擂固化装置において、装置内部に発生した水蒸気及びガス類を外部に排出するための排出口を被砕擂物の供給口に隣接して設けた細粒物の砕擂装置。
【請求項２】
被砕擂物の供給手段がホッパーであり、ホッパー内部を軸方向に見て左右の２区画に分ける仕切りを設け、２区画の一方を被砕擂物の供給口とし、他方を外部に開放した砕擂装置内の水蒸気及びガス類の排出口とした細粒物の砕擂固化装置。
【請求項３】
ホッパー内部の仕切り手段にホッパー下端開口より一定長砕擂固化装置内に延在する延長部を設けた請求項２の細粒物の砕擂固化装置。
【請求項４】
ホッパーの水蒸気及びガス類の排出口を砕擂固化装置の回転軸が上から下に回転動する側に設け、被砕擂物の供給口を砕擂固化装置の回転軸が下から上に回転動する側に設けた請求項３の細粒物の砕擂固化装置。
【考案の詳細な説明】
【技術分野】
【０００１】  本発明は細粒物の砕擂固化方法及びその装置に関し、更に詳しくは水分を含んだ細粒物の砕擂固化装置の安全性と砕擂固化の効率を向上させるための方法及び装置に関する。
【背景技術】
【０００２】  水分含量の比較的多い籾殻やおが屑などはそのままで利用されることは勿論であるが、そのままの利用では用途が限られるため、それらを砕擂し或いは更に固化して利用することが試みられてきた。【０００３】  その砕擂固化は先ず砕擂のための装置にホッパーなどを介して砕擂する籾殼などを供給して砕擂し、次いで砕擂されたものを次の固化のための装置に送って加熱、圧縮して連続的に固形物にするものが殆どである。【０００４】  このような砕擂固化装置では砕擂のときに摩擦熱が発生し更に固化の装置では固化のために加熱して高温にする。そのために砕擂装置、固化装置では水蒸気や炭酸ガスなどが発生して装置内にそれが充満して砕擂固化装置内は高圧状態となる。【０００５】  砕擂固化装置内の圧力が一定以上に高くなると水蒸気やガス類の逃げ場がなく装置内で爆発が起き、内容物は固形物の排気口などから噴出し、周辺機器を損傷したり作業者を傷つけたりして非常に危険である。またこのような事故がおきるとそのような危険があるばかりでなく装置の運転を一定時間停止しなければならない。【０００６】  装置の運転を一定時間の停止は作業の効率を大きく損なうことになる。したがってこのような事故が起きることは極力避ける必要がある。現在の装置ではこのような事故を防止するためにホッパーへの砕擂物の供給をするにあたり作業者が装置の状況を見ながら供給量を調節しているのが現状である。【０００７】
【先行技術文献】
【特許文献】
【０００８】
【特許文献１】  特開昭５２−９２９６３号公報
【特許文献２】  特公昭５７−３７３８１号公報
【特許文献３】  特許第２５６７３２４号公報
【特許文献４】  特許第４２８８０７９号公報
【考案の概要】
【考案が解決しようとする課題】
【０００９】  本考案は砕擂固化装置が上記のような事故を起こさず、そのために作業者が装置に付きっ切りで調節しながら被砕擂物を供給する必要のないその砕擂性能が充分に発揮される籾殻、オガクズなどの砕擂固化装置を提供することを目的とする。
【課題を解決するための手段】
【００１０】  請求項１の考案は水分を含んだ細粒物を砕擂し次いで連続して砕擂物を固形化する砕擂固化装置において、装置内部に発生した水蒸気及びガス類を外部に排出するための排出口を被砕擂物の供給口に隣接して設けた細粒物の砕擂装置である。【００１１】  請求項２の考案は被砕擂物の供給手段がホッパーであり、ホッパー内部を軸方向に見て左右の２区画に分ける仕切りを設け、２区画の一方を被砕擂物の供給口とし、他方を外部に開放した砕擂装置内の水蒸気及びガス類の排出口とした細粒物の砕擂固化装置である。【００１２】  請求項３の考案はホッパー内部の仕切り手段にホッパー下端開口より一定長砕擂固化装置内に延在する延長部を設けた細粒物の砕擂固化装置である。
請求項４の考案はホッパーの水蒸気及びガス類の排出口を砕擂固化装置の回転軸が上から下に回転動する側に設け、被砕擂物の供給口を砕擂固化装置の回転軸が下から上に回転動する側に設けた細粒物の砕擂固化装置である。【００１３】  ホッパー内部の仕切り手段はホッパー下端開口より一定長砕擂固化装置内に延在させることによりより効果的に水蒸気やガス類の排出が可能になる。
水蒸気及びガス類の排気口はホッパーと併設することがもっとも好ましいが必ずしもホッパーと一体的に設けなくてもよい。【００１４】  排気口は被砕擂物の砕擂、固形処理に伴って砕擂固化装置の内部に発生して内部の圧力が高まって爆発事故が発生することを防止するために砕擂固化装置内に蓄積される水蒸気及びガス類を外部に排出することが目的であるが、被砕擂物或いは砕擂された被砕擂物が装置の外に漏出することがあってはならないので、装置のできるだけ上部及び被砕擂物の供給箇所の近傍に設けることが好ましい。【００１５】  水蒸気及びガス類の排気口と被砕擂物の供給口を別体として設ける場合でもその配置は砕擂固化装置の軸方向に見てホッパーを２区画に分けた場合の配置と同じようにすることが好ましい。
排気口の規模については砕擂固化装置の規模、処理能力、被砕擂物の種類などによって相対的に変化するので例えば数字的に特定することは出来ないが、押しなべて言えば被砕擂物の供給口の１／４程度或いはそれ以下で充分である。
【考案の効果】
【００１６】  本考案によれば人が装置の運転に合わせて作業しなくても機械の運転だけで爆発が起きることがなく従って装置の運転を止めることのない安全な連続運転が可能となり能率も向上する。
【図面の簡単な説明】
【００１７】
【図１】本考案の砕擂固化装置の模式的正面図である。
【図２】本考案の砕擂固化装置の模式的側面図である。
【図３】本考案のホッパーのみを示す模式的正面図である。
【図４】本考案の図３のホッパーの模式的右側面図である。
【考案を実施するための形態】
【００１８】  以下本考案の実施の形態を図に基づいて説明する。
【実施例１】
【００１９】  図１はスクリュー式砕擂固化装置の模式的正面図であり、図２は図１の砕擂固化装置の模式的側面図である。図において１は砕擂固化装置本体、２はホッパー、３はホッパー内部に設けた仕切り、４は被砕擂物を供給するスペース、５は水蒸気及びガス類抜きのスペースである。また６は仕切り３の下端部の延長部、７は砕擂装置、８は固化装置、９は固化成形物排気口である。
この装置においてはスクリューは図１の正面側から見て時計回りに回転する。図中ｒは装置のスクリューの回転方向を示す。【００２０】  図３は図１のホッパーのみを示した模式的正面図であり、図４は図３のホッパーの模式的右側面図である。
砕擂固化装置及びホッパーの基本的構成は常套のものと同じである。【００２１】  ホッパー２の内部には砕擂固化装置の軸方向に並行方向にホッパー内部を二分するように仕切り３がホッパーの上下方向に設けてある。仕切り３はホッパーを二つに仕切り、一方をガス抜きスペースと他方を被砕擂物の供給スペースに区分けする機能を果たすものであればよく、それ以外に構造的、素材的に特別なものである必要はない。また仕切り３は平板状で充分である。【００２２】  仕切り３によって分けられる被砕擂物の供給スペース４と水蒸気及びガス類抜きスペース５の容積的割合は４：１程度或いはそれ以下で充分であり、水蒸気及びガス類抜きスペース５のスペースは必要以上に大きい必要はない。
６は仕切り３の下端部の延長部であり、ホッパー２の下端を越えて砕擂固化装置内部のできるだけ深くまで延在させてある。【００２３】  仕切り３によって分けられる被砕擂物の供給スペース４とガス類抜きスペース５の容積的割合は４：１程度で充分であり、ガス類抜きスペース５のスペースは必要に大きい必要はない。
砕擂及び固化の機構は一般的にはスクリュー式砕擂固化装置であるが、それ以外の形式の砕擂固化装置であっても、この仕切り３は砕擂機構の作動の邪魔にならない範囲で設け、また延長部も可能は範囲で設けてできるだけ砕擂固化装置の内部深くまで延在させることが好ましい。【００２４】  勿論この仕切り３はホッパー２の下端までで延長部を設けなくても効果があるが、延長部を設けてより多く砕擂固化装置に内部まで延在させることでより著しい効果をあげることが出来る。
【符号の説明】
【００２５】  １  砕擂固化装置
２  ホッパー
３  仕切り
４  被砕擂物供給スペース
５  ガス類抜きスペース
６  仕切りの延長部
７  砕擂装置
８  固化装置
９  固化成形物排気口
【図１】
0003159111.tif 000003
【図２】
0003159111.tif 000004
【図３】
0003159111.tif 000005
【図４】
0003159111.tif 000006
【手続補正書】
【提出日】平成22年1月19日(2010.1.19)
【手続補正１】
【補正対象書類名】実用新案登録請求の範囲
【補正対象項目名】全文
【補正方法】変更
【補正の内容】
【実用新案登録請求の範囲】
【請求項１】
水分を含んだ細粒物を砕擂し次いで連続して砕擂物を固形化する砕擂固化装置において、装置内部に発生した水蒸気及びガス類を外部に排出するための排出口を被砕擂物の供給口に隣接して設けた細粒物の砕擂固化装置。
【請求項２】
被砕擂物の供給手段がホッパーであり、ホッパー内部を軸方向に見て左右の２区画に分ける仕切りを設け、２区画の一方を被砕擂物の供給口とし、他方を外部に開放した砕擂装置内の水蒸気及びガス類の排出口とした請求項１の細粒物の砕擂固化装置。
【請求項３】
ホッパー内部の仕切り手段にホッパー下端開口より一定長砕擂固化装置内に延在する延長部を設けた請求項２の細粒物の砕擂固化装置。
【請求項４】
ホッパーの水蒸気及びガス類の排出口を砕擂固化装置の回転軸が上から下に回転動する側に設け、被砕擂物の供給口を砕擂固化装置の回転軸が下から上に回転動する側に設けた請求項３の細粒物の砕擂固化装置。